(57)【要約】【課題】  光の結合効率を改善できる光照射装置を提供する。【解決手段】  光照射装置は、前面が開口した筒状の筐体１と、該筐体１に前後方向を光軸Ｘ方向として収納される発光ダイオード２と、該発光ダイオード２の光軸Ｘ上に位置した状態で筐体１内に配置される第１レンズ３と、前記発光ダイオード２の光軸Ｘ上且つ第１レンズ３の前方に位置した状態で筐体１内に配設される第２レンズ４と、発光ダイオード２の後方に近接配置されて発光ダイオード２の温度を図るサーミスタ測温素子７と、発光ダイオード２及びサーミスタ測温素子７を外部機器に接続するためのケーブル８とを備えており、前記第１レンズ３は、前記筐体１の内面に突設された保持部５に接着剤Ｂを用いて接着固定され、前記第２レンズ４は、レンズ押さえねじ６を用いて筐体１に固定されている。【選択図】図１
2007017540.tif 000002
【特許請求の範囲】
【請求項１】
前面が開口した筒状の筐体と、該筐体に前方向を光軸方向として収納される発光ダイオードと、該発光ダイオードの光軸上に位置した状態で筐体内に配設される第１レンズと、前記発光ダイオードの光軸上且つ第１レンズの前方に位置した状態で筐体内に配設される第２レンズとを備え、前記筐体の内面には、第１レンズが接着剤を用いて接着固定される保持部が突設されていることを特徴とする光照射装置。
【請求項２】
前記保持部の前面部には第１レンズの後端側と嵌合して第１レンズの位置決めを行う位置決め用凹部が設けられるとともに、前記位置決め用凹部の底部には発光ダイオードの光を第１レンズに入射させる開口部が設けられていることを特徴とする請求項１に記載の光照射装置。
【請求項３】
第１レンズの後端側に所定の厚みを有して前記位置決め用凹部と嵌合する位置決め用凸部を設けていることを特徴とする請求項２に記載の光照射装置。
【請求項４】
前記発光ダイオードは前記保持部の後面部に固着されていることを特徴とする請求項２又は３に記載の光照射装置。
【請求項５】
前記筐体は、第１レンズが接着固定される保持部を備える本体部と、第２レンズが固定されるレンズホルダとで構成され、レンズホルダは本体部の前面側に着脱自在に取り付けられていることを特徴とする請求項１〜４のいずれか１項に記載の光照射装置。
【請求項６】
レンズホルダは、第２レンズの前面側の縁部に当接するフランジ部を備えるとともに、ねじ溝を外周面に有する円環状のレンズ押さえねじに対応するねじ溝を前記フランジ部より後方の内周面に備え、第２レンズは前記フランジ部と前記レンズ押さえねじとで前後を挟まれた状態でレンズホルダに固定されていることを特徴とする請求項５に記載の光照射装置。
【発明の詳細な説明】
【技術分野】
【０００１】
本発明は、発光ダイオードを光源とする光照射装置に関し、特に光硬化性樹脂を硬化させるために紫外線を照射する紫外線硬化装置に用いるのに好適な光照射装置に関するものである。
【背景技術】
【０００２】
従来、光硬化性樹脂に紫外線などの光を照射して硬化させる紫外線硬化装置においては、放電ランプやレーザ発振器を光源とする光照射装置が用いられていたが、近年では発光ダイオードを光源とする光照射装置が普及しつつある（例えば、特許文献１）。
【０００３】
例えば、図３に示すような光照射装置が提供されている。この光照射装置は、前面が開口した円筒状の筐体１００と、該筐体１００に前方向を光軸方向として収納される発光ダイオード１０１と、該発光ダイオード１０１の光軸上に位置した状態で筐体１００内に配設される半球レンズ１０２と、前記発光ダイオード１０１の光軸上且つ半球レンズ１０２の前方に位置した状態で筐体１００内に配設される平凸レンズ１０３とを備え、図示しないケーブルによって発光ダイオード１０１に駆動電流を供給できるようになっている。
【特許文献１】特開２００３−２９１１５３号公報（第１図）
【発明の開示】
【発明が解決しようとする課題】
【０００４】
ところで図３に示すような従来の光照射装置では、発光ダイオード１０１の光の集光を行うための半球レンズ１０２や平凸レンズ１０３は、レンズ固定用の部品１０４を用いて光照射装置の筐体１００の所定位置に固定されている。特に、レンズ固定用の部品１０４としては、外周面にねじ溝が形成された円環状（円筒状）のレンズ押さえねじが従来から用いられており、このようなレンズ押さえねじを光照射装置の筐体の内周面に形成したねじ溝に螺合することで、レンズの周縁部を全周に亘ってレンズ押さえねじで押さえ光照射装置の筐体に固定することができるようになっている。
【０００５】
しかしながら、このような円環状のレンズ押さえねじを用いた場合は、レンズ押さえねじによってレンズの周縁部が全周に亘って覆われることになるので、レンズの周縁部では発光ダイオードからの光が遮られてしまい、これによりレンズの有効径が小さくなって光の結合効率が低下していた。特に発光ダイオードの光を最初に透過するレンズの有効径が小さいと、エネルギー密度の高い光が多く遮られることになるため、結果的に光の結合効率が大幅に低下してしまうという問題があった。
【０００６】
本発明は上述の点に鑑みて為されたもので、その目的は、光の結合効率を改善できる光照射装置を提供することである。
【課題を解決するための手段】
【０００７】
上述の課題を解決するために、請求項１の光照射装置の発明では、前面が開口した筒状の筐体と、該筐体に前方向を光軸方向として収納される発光ダイオードと、該発光ダイオードの光軸上に位置した状態で筐体内に配設される第１レンズと、前記発光ダイオードの光軸上且つ第１レンズの前方に位置した状態で筐体内に配設される第２レンズとを備え、前記筐体の内面には、第１レンズが接着剤を用いて接着固定される保持部が突設されていることを特徴とする。
【０００８】
請求項２の光照射装置の発明では、請求項１の構成に加えて、前記保持部の前面部には第１レンズの後端側と嵌合して第１レンズの位置決めを行う位置決め用凹部が設けられるとともに、前記位置決め用凹部の底部には発光ダイオードの光を第１レンズに入射させる開口部が設けられていることを特徴とする。
【０００９】
請求項３の光照射装置の発明では、請求項２の構成に加えて、第１レンズの後端側に所定の厚みを有して前記位置決め用凹部と嵌合する位置決め用凸部を設けていることを特徴とする。
【００１０】
請求項４の光照射装置の発明では、請求項２又は３の構成に加えて、前記発光ダイオードは前記保持部の後面部に固着されていることを特徴とする。
【００１１】
請求項５の光照射装置の発明では、請求項１〜４のいずれか１項の構成に加えて、前記筐体は、第１レンズが接着固定される保持部を備える本体部と、第２レンズが固定されるレンズホルダとで構成され、レンズホルダは本体部の前面側に着脱自在に取り付けられていることを特徴とする。
【００１２】
請求項６の光照射装置の発明では、請求項５の構成に加えて、レンズホルダは、第２レンズの前面側の縁部に当接するフランジ部を備えるとともに、ねじ溝を外周面に有する円環状のレンズ押さえねじに対応するねじ溝を前記フランジ部より後方の内周面に備え、第２レンズは前記フランジ部と前記レンズ押さえねじとで前後を挟まれた状態でレンズホルダに固定されていることを特徴とする。
【発明の効果】
【００１３】
本発明は、接着剤により第１レンズが接着固定される保持部を筐体内に備えるので、従来のように円環状のねじを用いて固定する場合に比べてレンズを覆う部位を少なくすることが可能になり、これにより従来に比べてレンズの有効径を大きくとることができるから、光の結合効率を改善できるという効果がある。
【発明を実施するための最良の形態】
【００１４】
以下、本発明の一実施形態について、図１及び図２を参照して説明する。尚、以下の実施形態では図１（ａ）の右方を光照射装置の前方とし、図１（ａ）の左方を光照射装置の後方とする。
【００１５】
本実施形態の光照射装置は、前面が開口した筒状の筐体１と、該筐体１に前後方向を光軸Ｘ方向として収納される発光ダイオード２と、該発光ダイオード２の光軸Ｘ上に位置した状態で筐体１内に配置される第１レンズ３と、前記発光ダイオード２の光軸Ｘ上且つ第１レンズ３の前方に位置した状態で筐体１内に配設される第２レンズ４と、発光ダイオード２の後方に近接配置されて発光ダイオード２の温度を図るサーミスタ測温素子７と、発光ダイオード２及びサーミスタ測温素子７を外部機器に接続するためのケーブル８とを備えており、前記第１レンズ３は、前記筐体１の内面に突設された保持部５に接着剤Ｂを用いて接着固定され、前記第２レンズ４は、レンズ押さえねじ６を用いて筐体１に固定されている。
【００１６】
まず、筐体１に収納される発光ダイオード２、第１レンズ３、及び第２レンズ４について説明する。発光ダイオード２は、例えば紫外領域にピーク波長を有する表面実装型の紫外線発光ダイオードであり、出射面を前方へ向けるとともに、アノード端子及びカソード端子が露出した実装面を後方へ向け、光軸Ｘを筐体１の中心軸に一致させた状態で筐体１に収納される。第１レンズ３は、発光ダイオード２の光を第２レンズ４の全面に照射させるように、発光ダイオード２の光を取り込み、伝播するために用いられる平凸レンズであり、筐体１の内径よりも小さい外径を有する略半球状のレンズ部３ａと、レンズ部３ａの外径と同一の外径を有してレンズ部３ａの後部に一体に突設された円柱状のエッジ部３ｂとで構成されている。また、第２レンズ４は、光照射装置の照射範囲及び焦点距離等の設定するためのものであり、本実施形態では第１レンズ３の外径より大きい後述するレンズホルダ１４の中腹部の内径と同程度の外径を有する両凸レンズを用いている。
【００１７】
次に、筐体１について説明する。筐体１は、図１（ａ）に示すように、前面が開口した円筒状のものであり、発光ダイオード２及び第１レンズ３が固定される保持部５が設けられたＬＥＤホルダ１１、ケーブル８を保持するケーブルホルダ１２、及びＬＥＤホルダ１１とケーブルホルダ１２とを連結する筒体１３とからなる本体部１０と、この本体部１０の前面側（つまりはＬＥＤホルダ１１の前面側）に着脱自在に取り付けられるレンズホルダ１４とで構成されている。
【００１８】
ＬＥＤホルダ１１は、例えば陽極酸化処理並びに封孔処理（いわゆるアルマイト処理）が為されたアルミ合金を用いて円筒状に形成されている。このＬＥＤホルダ１１の前端部は、外径が後端側よりも小さく形成されており、その外周面にはレンズホルダ１４を取り付けるための雄ねじ部１１ａが形成されている。また、ＬＥＤホルダ１１の後端側の内周面には、筒体１３を取り付けるための雌ねじ部１１ｂが形成されている。
【００１９】
一方、ＬＥＤホルダ１１の前端側の内面（つまりは筐体１の内面）には、第１レンズ３が接着剤Ｂを用いて接着固定される保持部５が一体に突設されている。この保持部５は、ＬＥＤホルダ１１の前面開口を閉塞するような略円盤状に形成されており、その前面部には、第１レンズ３のエッジ部３ｂと略同形状の位置決め凹部５ａが凹設されている。また、位置決め凹部５ａの底部５ｂには、保持部５を前後に貫通する開口部５ｃが設けられており、この開口部５ｃを通じて発光ダイオード２の光を第１レンズ３に入射させることができるようにしている。尚、この保持部５の位置決め凹部５ａ、開口部５ｃの中心軸は発光ダイオード２の光軸Ｘに一致するように設定してあり、これにより第１レンズ３を保持部５に固定した際には、自動的に第１レンズ３の中心軸と光軸Ｘとが一致するようにしている。また尚、保持部５は、ＬＥＤホルダ１１に一体に形成されている必要は無く、別部材から形成して接着剤等を用いて接着するようにしてもよい。
【００２０】
ケーブルホルダ１２は、ＬＥＤホルダ１１と同じく陽極酸化処理並びに封孔処理が為されたアルミ合金を用いてＬＥＤホルダ１１とほぼ同じ外径を有する円筒状に形成され、内部にはケーブル８の外径よりも若干大きい程度の保持孔１２ａが貫通されている。また、ケーブルホルダ１２には、保持孔１２ａと外部とを連通するねじ孔１２ｂが径方向に貫設されており、このねじ孔１２ｂには、ケーブル８をケーブルホルダ１２に固定するためのねじ（図示せず）が外側から螺合される。加えて、ケーブルホルダ１２の前端側の内周面には、筒体１３を取り付けるための雌ねじ部１２ｃが形成されている。ここで、ケーブル８について簡単に説明すると、ケーブル８は、図１（ａ）に示すように、４本の電線８ａ〜８ｄを一本に束ねたものであり、発光ダイオード２への動作電源の供給と、サーミスタ測温素子７からの出力を得るために用いられる。
【００２１】
筒体１３は、ＬＥＤホルダ１１及びケーブルホルダ１２と同じく陽極酸化処理並びに封孔処理が為されたアルミ合金を用いてＬＥＤホルダ１１及びケーブルホルダ１２とほぼ同じ外径を有する円筒状に形成されている。この筒体１３の前端部には、ＬＥＤホルダ１１の後端部の内径と同程度の大きさの外径を有する筒状の第１突出部１３ａが一体に突設されており、第１突出部１３ａの外周面にはＬＥＤホルダ１１の雌ねじ部１１ｂに対応する雄ねじ部１３ｂが設けられている。また、この筒体１３の後端部には、ケーブルホルダ１２の前端部の内径と同程度の大きさの外径を有する筒状の第２突出部１３ｃが一体に突設されており、第２突出部１３ｃの外周面にはケーブルホルダ１２の雌ねじ部１２ｃに対応する雄ねじ部１３ｄが設けられている。
【００２２】
レンズホルダ１４は、ＬＥＤホルダ１１と同じく陽極酸化処理並びに封孔処理が為されたアルミ合金を用いてＬＥＤホルダ１１とほぼ同じ外径の円筒状に形成されている。このレンズホルダ１４の前端側の開口縁部には、内方へ突出する環状のフランジ部１４ａが一体に突設されており、フランジ部１４ａで囲まれたレンズホルダ１４の開口部分１４ｂが光照射装置の照射口として用いられる。また、レンズホルダ１４の後端部は、内径がＬＥＤホルダ１１の前端部の外径とほぼ同程度の大きさに形成されており、その内周面には、ＬＥＤホルダ１１の雄ねじ部１１ａに対応する雌ねじ部１４ｃが形成されている。さらに、フランジ部１４ａより後方で且つ雌ねじ部１４ｃよりも前方のレンズホルダ１４の部位（以下、中腹部という）の内周面には、レンズ押さえねじ６用のねじ溝１４ｄが形成されている。
【００２３】
ここで、レンズ押さえねじ６について説明する。このレンズ押さえねじ６は、上記のＬＥＤホルダ１１等と同様に陽極酸化処理並びに封孔処理が為されたアルミ合金を用いて、レンズホルダ１４の中腹部の内径と同程度の外径を有する円環状に形成されており、外周面にレンズホルダ１４のねじ溝１４ｄに対応するねじ溝６ａが設けられている。また、レンズ押さえねじ６の後端部には、レンズ押さえねじ６のレンズホルダ１４への螺合を容易に行うための矩形状の切欠６ｂが形成されている。
【００２４】
以上述べたように、本実施形態の光照射装置は、ＬＥＤホルダ１１とケーブルホルダ１２と筒体１３とからなる本体部１０、及び本体部１０に着脱自在に取り付けられるレンズホルダ１４とで構成される筐体１に、発光ダイオード２と、第１レンズ３と、第２レンズ４と、レンズ押さえねじ６と、サーミスタ測温素子７と、ケーブル８とを配設することで構成されており、次にその組み立て方法について説明する。
【００２５】
まず、発光ダイオード２をＬＥＤホルダ１１の保持部５の後面部に接着などによって取り付けるのであるが、このとき発光ダイオード２の照射面を保持部５の開口部５ｃから前方へ臨ませた状態とする。次に、発光ダイオード２の実装面の図示しないカソード端子及びアノード端子にそれぞれリード線９の一端を半田付けし、さらに発光ダイオード２の実装面に銅製のパイプ７０を固定して、その中にサーミスタ測温素子７を収納する。この後に、発光ダイオード２に接続したリード線９，９の他端をケーブル８の電線８ａ，８ｂにそれぞれかしめ固定するとともに、サーミスタ測温素子７のリード７ａ，７ｂをケーブル８の電線８ｃ，８ｄに半田付けすることで、ケーブル８と発光ダイオード２及びサーミスタ測温素子７とを電気的に接続する。またサーミスタ測温素子７のリード７ａ，７ｂとケーブル８の電線８ｃ，８ｄとの接続部位を絶縁チューブＴで覆うことで保護しておく。
【００２６】
次に、ＬＥＤホルダ１１の雌ねじ部１１ｂに筒体１３の雄ねじ部１３ｂを螺合させて、ＬＥＤホルダ１１に筒体１３を取り付ける。この状態で筒体１３の後端側から筒体１３及びＬＥＤホルダ１１内に熱伝導度が高い加熱硬化型のポッティング（封止）材Ｐを充填し、この後にポッティング材Ｐを加熱して硬化させる。尚、このようなポッティング材Ｐとしては、例えば熱伝導度が２．５［Ｗ／ｍ・Ｋ］程度である加熱硬化型のシリコンゴムが好適である。また、ポッティング材Ｐの充填に際しては、気泡が生じるのを防ぐために筒体１３及びＬＥＤホルダ１１内の空気を抜きながら充填することが望ましい。そして、筒体１３の雄ねじ部１３ｄにケーブルホルダ１２の雌ねじ部１２ｃを螺合させて、筒体１３にケーブルホルダ１２を取り付け、ケーブルホルダ１２の保持孔１２ａを挿通しているケーブル８をねじ孔１２ｂに螺入したねじ（図示せず）で締め付けることで本体部１０が構成されることになる。尚、ポッティング材Ｐはケーブルホルダ１２内にも充填するようにしてもよい。
【００２７】
このようにして構成された本体部１０への第１レンズ３の取り付けは次のようにして行う。すなわち、第１レンズ３の後端側のエッジ部３ｂを保持部５の位置決め凹所５ｃに嵌合させ、この状態で図１（ｂ）に示すように、第１レンズ３の前面を周方向に４等分するように４箇所で接着剤Ｂを用いて保持部５に接着固定するのである。ここで、このような接着剤Ｂとしては、例えば一液湿気硬化型弾性接着剤等を用いており、この他様々な接着剤を用いることができる。また、接着剤Ｂによる接着箇所も上記の４箇所に限られるものではなく、好適な場所で第１レンズ３を保持部５に接着するようにすればよいが、この場合、接着剤を過剰に塗布せずに第１レンズ３を固定するのに適切な量だけ塗布し、第１レンズ３の有効径を大きくとるようにすることが好ましい。
【００２８】
一方、レンズホルダ１４には、第２レンズ４を次のようにして取り付ける。すなわち、第２レンズ４を後端側からレンズホルダ１４内に挿入し、第２レンズ４の前面部をレンズホルダ１４のフランジ部１４ａの後面側に当接させて第２レンズ４を照射口１４ｂから外部へ臨ませ、この後にレンズ押さえねじ６のねじ溝６ａをレンズホルダ１４のねじ溝１４ｄに螺合させることでレンズ押さえねじ６をレンズホルダ１４に取り付けて、図１（ａ）に示すように、レンズ押さえねじ６を第２レンズ４の後面部に当接させることで、フランジ部１４ａとレンズ押さえねじ６とで第２レンズ４を前後から挟み、これにより第２レンズ４をレンズホルダ１４に固定するのである。
【００２９】
そして、レンズホルダ１４の雌ねじ部１４ｃにＬＥＤホルダ１１の雄ねじ部１１ａを螺合することで、レンズホルダ１４が本体部１０に着脱自在に取り付けられ、これにより本実施形態の光照射装置が完成することになる。
【００３０】
ここで、本実施形態の光照射装置と、図３に示す従来例の光照射装置と、図３に示す従来例において半球レンズ１０２のかわりに球レンズを用いた光照射装置とのそれぞれの光強度の分布を測定したところ、図２に示すような結果が得られた。尚、図中ａは本実施形態の光照射装置であり、ｂは図３に示す従来例の光照射装置であり、ｃは図３に示す従来例において半球レンズ１０２のかわりに球レンズを用いた光照射装置である。また、図２において光強度は、ｃにおいて照射範囲が０ｍｍのときの値（中心強度）を基準値とした相対値として示してあり、光強度の測定は、照射距離が１０ｍｍの場所で行った。尚、その他の条件（発光ダイオードの種類や駆動電流の大きさ）等は固定条件としている。
【００３１】
この測定の結果、図２を参照すれば明らかなように、本実施形態の光照射装置は従来例に比べて中心強度がおよそ１．８倍となっており、光強度が大幅に向上していることがわかる。
【００３２】
以上述べた本実施形態の光照射装置によれば、接着剤Ｂにより第１レンズ３が接着固定される保持部５を筐体１内に備えるので、従来のように円環状のねじを用いて固定する場合に比べてレンズを覆う部位を少なくすることが可能になり、これによって従来に比べてレンズの有効径、すなわちレンズの有効部分（光を透過する部分）を大きくできるから、光の結合効率を改善できる。特に、発光ダイオード２からの光が最初に入射される第１レンズにおいて、その有効径を大きくとるようにしているので、エネルギー密度の高い光が多く遮られてしまうことを抑制でき、これによっても光の結合効率の改善が図られる。
【００３３】
また、保持部５に位置決め用凹所５ｃを設けて、この凹所５ｃに第１レンズ３を嵌合するようにしているので、第１レンズ３の所定位置への配置を容易且つ正確に行える。しかも、第１レンズ３の後端部に、所定の厚みを有して位置決め用凹部５ｃと嵌合する位置決め用凸部となるエッジ部３ｂを設けているので、保持部５と第１レンズ３との嵌合度合いを向上でき、第１レンズ３の位置決めが容易に行える。ただし、本実施形態の第１レンズ３はエッジ部３ｂを設けたものに限られるものではなく、エッジ部３ｂのない半球状のレンズとしてもよい。
【００３４】
加えて、発光ダイオード２を保持部５の後面部に固着することで発光ダイオード２と第１レンズ３とを近接配置しているので、発光ダイオード２の光を効率良く第１レンズ３に入射させることができ、また発光ダイオード２を固定するための部位を新たに設ける必要がないので、部品点数を少なくでき、組み立ても容易に行えるようになる。このとき保持部５の厚みを薄くすれば、さらに発光ダイオード２と第１レンズ３とを近接させることができ、発光ダイオード２の光をより効率良く第１レンズ３に入射させることができる。
【００３５】
さらに、筐体１を、第２レンズ４が固定されるレンズホルダ１４と、第１レンズ３、発光ダイオード２、保持部５等が設けられる本体部１０とで構成し、レンズホルダ１４を本体部１０の前面側に着脱自在に取り付けることができるようにしているので、レンズホルダ１４のみを筐体１から容易に分離でき、これによりレンズホルダ１４の取り替えを容易に行うことができる。そのため、例えば曲率半径や厚みの異なる第２レンズが取り付けられたレンズホルダを用意しておけば、レンズホルダの取り替えにより光照射装置の焦点距離等を容易に調節することが可能になる。また、第２レンズ４をレンズホルダ１４のフランジ部１４ａとレンズ押さえねじ６とで前後を挟んだ状態でレンズホルダ１４に固定しているので、レンズ押さえねじ６を取り外すだけで第２レンズ４の交換が行え、これにより第２レンズ４のレンズホルダ１４への取り付けに要する時間（実装タクト）を短くすることができ、また第２レンズ４が傷ついた場合でも容易に第２レンズ４を新しいものに取り替えることができる。
【００３６】
一方、本実施形態の光照射装置では、筐体１内部にポッティング材Ｐを充填した後に加熱して硬化させているので、発光ダイオード２と筐体１とがポッティング材Ｐを介して熱的に結合され、発光ダイオード２の発する熱がポッティング材Ｐを介して筐体１に伝導されることで放熱が促進され、これにより発光ダイオード２の温度上昇を抑えて発光効率の低下を防止することができる。また、発光ダイオード２の温度を測るためのサーミスタ測温素子７を備えているので、サーミスタ測温素子７により検出した発光ダイオード２の温度に基いて、発光ダイオード２の温度上昇に伴なう輝度の低下の補正等を行える。
【００３７】
ところで、本実施形態では、第１レンズ３として平凸レンズを用い、また第２レンズ４として両凸レンズを用いているが、各レンズ３，４の形状は上記のものに限られるものではなく、状況に応じて好適なものを選択すればよい。また、光学系を構成するレンズの数も２枚に限られず、第１レンズ３と第２レンズ４との間に第３、第４レンズを設けるようにしてもよいし、またその他の光学部品を配設してもよい。
【００３８】
また、発光ダイオード２も紫外線領域のものに限られるものではなく、青色発光ダイオードや、その他の様々な光色の発光ダイオードを用いてもよいし、発光ダイオード２の数も１つに限られるものではなく、複数の発光ダイオードを設けるようにしてもよいことは言うまでもない。また尚、光照射装置の外観形状も実施形態のものに限られるものではなく、状況に応じて好適な形状に設計すればよい。
【図面の簡単な説明】
【００３９】
【図１】（ａ）は、本発明の光照射装置の一実施形態の概略断面図であり、（ｂ）は、同図（ａ）のＡ−Ａ線における断面図である。
【図２】光強度の分布を示すグラフである。
【図３】従来の光照射装置の要部の概略断面図である。
【符号の説明】
【００４０】
１    筐体
２    発光ダイオード
３    第１レンズ
４    第２レンズ
５    保持部
６    レンズ押さえねじ
７    サーミスタ測温素子
８    ケーブル
Ｂ    接着剤
Ｘ    光軸
【図１】
2007017540.tif 000003
【図２】
2007017540.tif 000004
【図３】
2007017540.tif 000005